(57)【特許請求の範囲】
【請求項１】
土台２５に立設した柱２９の外側、及び屋根垂木４３の外側に断熱材３０を面張りし、建物の断熱方法を外断熱工法で施工し、
所定規格寸法の構造用合板の裏面側辺に、縁端から所定の深さで削成した短溝状の通気用スリット溝１５を、両長辺及び両短辺に対称位置に間隔を設けて並置した床パネル１０を形成し、
この床パネル１０を土台２５、大引２６、床梁４０等の横架材上に直接敷設し、各階の床下地をネダレス工法で施工し、
各階床面の周縁に亘って配置された通気用スリット溝１５で、床下空間、階下空間（各階下の床下・天井間の上下空間）と壁体内（断熱材３０と内壁３３との間）とを連通し、横架材上で小口面を当接して互いの開口位置が一致した通気用スリット溝１５で、横架材を跨いだ通風路を形成し、
各部屋を区画する間仕切り壁の位置で、床パネル１０の当接した縁端部分に通気用スリット溝１５に連通する小孔１７を表面から開設し、
以上の床パネル１０の施工で、建物躯体内（床下空間、階下空間、壁体内、間仕切り壁内、小屋裏）が全て連通した通気層を形成するとともに、断熱材３０の外側に通気空間を保って外壁３２及び屋根４６を施工し、常時外気と連通した外側通気層を形成し、
開閉式のトップ排気口５２を屋根部に設けた吹き抜け５０を施工し、吹き抜け５０と小屋裏とを連通する連通路５１を設けるとともに、外回り基礎２０ａに開閉式の床下換気口２２を設け、床下換気口２２及びトップ排気口５２を開成する夏モードと、床下換気口２２及びトップ排気口５２を閉成する冬モードを備えた住宅の通気工法。
【請求項２】
外回り基礎２０ａの内周面に断熱材３０を面張り施工する請求項１に記載の住宅の通気工法。
【請求項３】
各部屋を区画する間仕切り壁に開閉式の通孔５３を設ける請求項１又は２に記載の住宅の通気工法。
【発明の詳細な説明】
【０００１】
【発明の属する技術分野】
この発明は、住宅の建て方の変化に伴い建物躯体内が密封型になりがちな建築方法に対して、通気機能を備えた床パネルを用いて各階の床下地を施工することで、建物躯体内全体の通気を図る住宅の通気工法に関するものである。
【０００２】
【従来の技術】
近年、木造住宅の建築において、工法の合理化と耐震性の向上を図るため、壁構造や床構造に構造用合板が多用されている。床の施工では、ネダレス工法と称して従来の根太組を省略し、土台、大引、床梁等の横架材に厚物合板を直接敷設し、その上に、フローリング、カーペット、畳敷等の床仕上げする施工が普及、増加している。こうした床下地材として、所定の厚さで３尺×６尺、１ｍ×２ｍ等の規格寸法の構造用合板で形成した床パネルが汎用されている。
【０００３】
一方、建物の断熱方法としては、構造用柱の間に主に繊維系断熱材を充填する内断熱工法と、構造用柱の外側に主に板状に成形した発泡断熱材を面張りする外断熱工法があり、外断熱工法では、屋根垂木の外側に断熱材を面張りする屋根断熱の工法も行われている。また、建物の外回り基礎に床下換気口を設けて床下空間の通風が図られるが、熱や湿気を含んだ空気溜まりが生じて完全な換気が行われるものではなく、床下に換気扇を取り付けて強制的に換気を行う手段も用いられている。
【０００４】
【発明が解決しようとする課題】
このようにして構造用合板や断熱材を多用した住宅は、建物の強度、気密性、断熱性が著しく向上された反面、建物躯体内が密封型になりやすく、建物躯体内に熱気や湿気が停留する構造となってしまった。そのため、結露も生じやすく、柱や梁等の構造体の寿命にも大きく影響し、住環境としても決して快適な居住空間とはいえないものである。さらに、床組構造が従来の根太組工法であれば、根太の高さ分だけ通風・換気が図れるが、ネダレス工法では、各階下の床下・天井間の上下空間（以下、階下空間と称す）と壁体内とは完全に遮断されて空気の流通が全く行われず、横架材の高さ空間内に熱気や湿気を含んだ空気が停留し、建物躯体内の通気性が著しく劣るものである。
【０００５】
この発明は、通気機能を備えた床パネルを用い、ネダレス工法で各階の床下地を施工することで、各階下の階下空間と壁体内とを連通して空気の流通を図り、自然対流による建物躯体内の空気の流通を可能とした通気工法を提供することを目的とするものである。そして、柱や梁等の構造体が常に新鮮な空気に触れることを可能として木の調湿作用を促進させ、建物の耐久性の向上を図るとともに、住環境を季節に応じたものとし、夏涼しく冬暖かい快適な居住空間を実現することを目的とするものである。
【０００６】
【課題を解決するための手段】
上記の目的を達成するため、この発明の住宅の通気工法は、土台に立設した柱の外側、及び屋根垂木の外側に断熱材を面張りし、建物の断熱方法を外断熱工法で施工し、所定規格寸法の構造用合板の裏面側辺に、縁端から所定の深さで削成した短溝状の通気用スリット溝を、両長辺及び両短辺に対称位置に間隔を設けて並置した床パネルを形成し、この床パネルを土台、大引、床梁等の横架材上に直接敷設し、各階の床下地をネダレス工法で施工する。そして、各階床面の周縁に亘って配置された通気用スリット溝で、床下空間、階下空間と壁体内とを連通し、横架材上で小口面を当接して互いの開口位置が一致した通気用スリット溝で、横架材を跨いだ通風路を形成し、各部屋を区画する間仕切り壁の位置で、床パネルの当接した縁端部分に通気用スリット溝に連通する小孔を表面から開設する。以上の床パネルの施工で、建物躯体内（床下空間、階下空間、壁体内、間仕切り壁内、小屋裏）が全て連通した通気層を形成するとともに、断熱材の外側に通気空間を保って外壁及び屋根を施工し、常時外気と連通した外側通気層を形成する。そして、開閉式のトップ排気口を屋根部に設けた吹き抜けを施工し、吹き抜けと小屋裏とを連通する連通路を設けるとともに、外回り基礎に開閉式の床下換気口を設け、床下換気口及びトップ排気口を開成する夏モードと、床下換気口及びトップ排気口を閉成する冬モードを備えるものである。
【０００７】
このように通気機能を備えた床パネルを用いて各階の床下地を施工することで、建物躯体内が全て連通した通気層を形成し、自然対流による建物躯体内の空気の流通が図られる。
【０００８】
また、断熱材の外側に通気空間を保って外壁及び屋根を施工し、常時外気と連通した外側通気層を形成することで、断熱材の外側で外側通気層に常時新鮮な外気を流通させ、建物の断熱性の向上が図られる。そして、建物躯体内が全て連通した通気層の通風・換気を、床下換気口及びトップ排気口の開閉操作で季節に応じて制御し、夏涼しく冬暖かい快適な居住空間を実現するものである。
【０００９】
また、この発明の住宅の通気工法は、経年劣化や蟻虫による断熱材の浸食を防止するため、外回り基礎の内周面に断熱材を面張り施工して基礎断熱を図るものである。さらに、各部屋を区画する間仕切り壁には開閉式の通孔を設け、夏モードでは通孔を開成し、冬モードでは閉成し、窓、ドア等のの開口部建具と併せて季節に応じて開閉制御することが好ましい。
【００１０】
【発明の実施の形態】
以下にこの発明の実施の形態を、図面を用いて具体的に説明する。
図１から４は、この発明の通気工法で用いる床パネル１０、１０ａを示す。図１に示す床パネル１０は、３尺×６尺、１ｍ×２ｍ等の長辺と短辺の寸法比が２対１の規格寸法で板厚２７ｍｍ以上の構造用合板で形成され、裏面側辺に、縁端から所定の深さで削成した短溝状の通気用スリット溝１５が、規定の間隔を設けて並置されている。
【００１１】
通気用スリット溝１５は、両長辺及び両短辺に対称位置に配置され、小口面を当接して横架材上に床パネル１０を敷設した場合、当接した床パネル１０の通気用スリット溝１５の開口位置が一致し、連通するように配置されている。また、図３に示すように、通気用スリット溝１５は、長辺に２枚の短辺を当接して床パネル１０を敷設した場合も、開口位置が一致するように配置され、建物の間取りや横架材（図３中、想像線で示した大引２６等）の位置に応じて床パネル１０を縦横柔軟に敷設可能としている。さらに、床パネル１０の裏面の中央に沿って、長溝状（通気用スリット溝１５の略２倍の長さ）の通気用スリット溝１６が規定の間隔で配置されている。
【００１２】
図２に示す床パネル１０ａは、床パネル１０の半分の大きさの構造用合板で形成され、同じく裏面側辺に、縁端から短溝状の通気用スリット溝１５が、対向辺に対称位置に間隔を設けて並置されている。
【００１３】
この発明の住宅の通気工法は、これらの規格寸法の構造用合板で形成した矩形板状の床パネル１０、１０ａを用い、ネダレス工法で各階の床下地を施工するもので、図５から７に具体的な施工方法を示す。図において、基礎２０がコンクリート打設され、周縁に沿って所定の高さで立ち上げられた外回り基礎２０ａの適宜の箇所の開孔に、開閉式の床下換気口２２が取り付けられている。外回り基礎２０ａの表面は化粧モルタル２１で仕上げられ、内周面（裏面側）には断熱材３０が面張り施工されている。このように、基礎断熱として、外気に接する外回り基礎２０ａの内周面に断熱材３０を施工することで、経年劣化や蟻虫による浸食を防止している。
【００１４】
外回り基礎２０ａ上に土台２５がボルト締め固定され、外回り基礎２０ａと適宜の間隔で立ち上げられた内回り基礎２０ｂと床束上に大引２６が架設される。そして、床パネル１０を土台２５、大引２６上に小口面を当接して敷設し、順次専用ビスでこれらの横架材に直接固定し、ネダレス工法で１階の床下地が施工される。
【００１５】
建物の断熱方法は外断熱工法が採られ、土台２５に立設した柱２９の外側に断熱材３０が面張り施工され、さらにその外側に通気用の胴縁３１を設けて外壁３２が施工され、室内側では内壁３３を施工する。その結果、断熱材３０と内壁３３との間の壁体内の通気空間と、断熱材３０と外壁３２との間の通気空間が形成される（図６参照）。
【００１６】
大引２６上で小口面を当接した床パネル１０において、間仕切り壁を設ける位置では、床パネル１０の当接した縁端に表面から小孔１７を開設し、通気用スリット溝１５に連通させる（図７参照）。通気用スリット溝１５が規定の位置に形成されているので、位置を記した定規を用意することで、通気用スリット溝１５の位置が表面から容易に解るようにされている。また、床パネル１０の生産時に、通気用スリット溝１５の位置を表面に記しておいてもよい。床パネル１０上に床仕上げ材３４が施工され、天井材３５、間仕切り壁の内壁３６等の内装仕上げが順次施工される。
【００１７】
２階では、胴差３９、床梁４０上に床パネル１０を同様に敷設して床下地が施工され、間仕切り壁の位置で、床パネル１０の当接した縁端に通気用スリット溝１５に連通する小孔１７を表面から開設する。さらに、小屋裏空間の利用を図るため、桁４１、小屋梁４２上に床パネル１０を敷設し、床パネル１０の当接した縁端に通気用スリット溝１５に連通する小孔１７を表面から開設する。
【００１８】
屋根垂木４３の外側に断熱材３０が面張り施工され、その上に通気用の垂木４４、野地板４５を施工して屋根４６を施工する。その結果、屋根面に沿って断熱材３０と屋根４６との間に通気空間が形成され、この通気空間は、軒天換気口４７に連通するとともに、断熱材３０と外壁３２との間の通気空間に連通されている。
【００１９】
以上の床パネル１０の施工によって、各階床面の周縁では、全周に亘って所定の間隔で通気用スリット溝１５が配置され、この通気用スリット溝１５で床下空間、階下空間と建物の壁体内（断熱材３０と内壁３３との間）とが連通される。また、横架材上で小口面を当接した床パネル１０の通気用スリット溝１５の開口位置が一致し、横架材を跨いだ通風路が所定の間隔で形成され、床パネル１０の中央に横架材が配置された場合には、長溝状の通気用スリット溝１６でこの横架材を跨いだ通風路が形成される（図３参照）。さらに、通気用スリット溝１５に連通した小孔１７で、床下空間、階下空間と間仕切り壁内とが連通される。以上の床パネル１０の施工で、建物躯体内（床下空間、階下空間、壁体内、間仕切り壁内、小屋裏）が全て連通した通気層が形成される。
【００２０】
次に、このように施工した住宅の空気の流れについて説明する。
床下換気口２２から床下空間内に流入した空気（図５中、実線矢印）は、１階床面の周縁に亘って配置された通気用スリット溝１５で床下空間から壁体内へ、小孔１７で床下空間から間仕切り壁内へと流通する。同様にして２階の階下空間では、２階床面の周縁に亘って配置された通気用スリット溝１５で階下空間から壁体内へ、小孔１７で階下空間から間仕切り壁内へと流通する。さらに小屋裏へと流入した空気が小屋裏換気口、トップ排気口（次例の図８中、５２）等から屋外へ排出される。このように、床下空間内に流入した空気が自然対流により建物躯体内を流通し、階下空間では、横架材を跨いだ通風路で空気が横架材上を流通し、通気性の向上が図られている。
【００２１】
断熱材３０と外壁３２との間の通気空間内に下端開口から流入した空気（図５中、破線矢印）は、この通気空間内を上昇し、軒天換気口４７から軒先空間内に流入した空気と合流し、断熱材３０と屋根４６との間の通気空間を流通して棟排気口（次例の図８中、５５）から排出される。このように、断熱材３０の外側に常時外気が流通する外側通気層が形成されている。
【００２２】
図８、９は、この発明の住宅の通気工法の最適な適用例を示すものである。
図の住宅において、上記のように床パネル１０を用いて各階の床下地を施工することで、建物躯体内が全て連通した通気層が形成され、断熱材３０の外側に通気空間を保って外壁３２及び屋根４６を施工することで、常時外気と連通した外側通気層が形成され、この外側通気層を流通する空気を排出する棟排気口５５を設けている。
【００２３】
２階天井部の一部には、屋根部に開閉式のトップ排気口５２（天窓）を設け、屋内と連通した吹き抜け５０が小屋裏を貫通して施工され、吹き抜け５０の壁面に連通路（ガラリ）５１を形成して小屋裏と屋内側が連通されている。この吹き抜け５０は、採光の他、トップ排気口５２を開成して上昇気流による屋内空気の換気を図るもので、したがって、階段室空間上に設けることが最も好ましい。さらに、各部屋を区画する間仕切り壁に開閉式の通孔５３が設けられ、この通孔５３はドア上部の壁面等に形成される。
【００２４】
この住宅は、図８に示す夏モードと図９に示す冬モードとを備えている。
図８の夏モードでは、床下換気口２２及びトップ排気口５２を開成する。このように設定することで、窓等の建物開口部から各部屋内に流入した空気が、ドア開口部や通孔５３から屋内を流通し、吹き抜け５０を上昇してトップ排気口５２から屋外へ排出される。また、床下換気口２２から床下空間内に流入した空気が建物躯体内を流通し、小屋裏で連通路５１から吹き抜け５０内に流入し、トップ排気口５２から屋外へ排出される。
【００２５】
このように夏モードでは、空気の特性を生かした温度差換気で建物躯体内を流通する空気と屋内空気の換気を積極的に図り、熱気や湿気を屋外に放出し、夏場に建物が熱取得して室内に発散する輻射熱を未然に防ぐとともに、屋内に適度な上昇気流を生じさせて自然通気による涼しさを実現するものである。
【００２６】
図９の冬モードでは、断熱層（熱的境界部位）に位置する窓開口部、床下換気口２２及びトップ排気口５２を閉成して建物を密閉型とする。このように設定することで、窓その他の開口部で建物が取得する日射熱、暖房その他の生活発熱を外へ放出することなく、断熱材３０で囲まれた建物内(熱的境界内)の構造躯体や家具その他の物に蓄熱して取得する。建物躯体内は、空気の特性により緩やかに空気が対流しているので結露の発生も極力押さえることができる。また、基礎２０は地熱の取得や蓄熱体として利用され、適宜の個所に調湿用の土間２３を形成することで、この土間２３の自然な調湿作用により、冬場の過乾燥時期でも建物内では適度な湿度が得られるようにされている。
【００２７】
【発明の効果】
この発明の住宅の通気工法は、通気機能を備えた床パネル１０を用い、ネダレス工法で各階の床下地を施工することで、横架材を跨いだ通風路が形成されて空気が横架材上を流通し、床下空間、階下空間の通気性の向上が図られるとともに、この横架材を跨いだ通風路を形成した通気用スリット溝１５に連通する小孔１７を開設することで、床下空間、階下空間と間仕切り壁内とを連通することができる。その結果、建物躯体内が全て連通した通気層が形成され、自然対流による建物躯体内の空気の流通を図り、柱や梁等の構造体が常に新鮮な空気に触れることを可能として木の調湿作用を促進させ、建物の耐久性の向上を図るとともに、建物躯体内に熱気や湿気が停留することなく、特にネダレス工法の課題であった各階下の階下空間の通気性を著しく向上させることができる。
【００２８】
また、この発明の住宅の通気工法で用いる床パネル１０は、構造用合板の側辺に通気用スリット溝１５を切削加工するだけであるから、量産性に優れて安価に製作され、下地材として強度、剛性に劣ることもない。さらに、合理的なネダレス工法によって従来と変わらずに横架材上に直接敷設して施工可能であり、施工性に極めて優れるものである。
【００２９】
また、断熱材の外側で外側通気層に常時新鮮な外気を流通させ、建物の断熱性の向上を図るとともに、建物躯体内が全て連通した通気層の通風・換気を、床下換気口２２及びトップ排気口５２の開閉操作で季節に応じて制御するようにし、窓、ドア等のの開口部建具を併せて開閉操作し、夏モードでは、建物が取得する熱や湿気を積極的に屋外へ放出して不快な輻射熱の現象を防ぐとともに、屋内に適度な上昇気流を生じさせて自然通気による涼しさを実現し、冬モードでは、建物が取得する日射熱、暖房その他の生活発熱を屋外へ逃がさないようにして熱的境界内に蓄熱し、適度な湿度で柔らかな暖かさを実現する。このようにして、機械の冷暖房にあまり頼らない自然で快適な居住環境を実現するものである。
【図面の簡単な説明】
【図１】この発明の住宅の通気工法で用いる床パネルの裏面図。
【図２】同じく半分の大きさの床パネルの裏面図。
【図３】長辺に２枚の短辺を当接して床パネルを敷設した状態の裏面を示した説明図。
【図４】床パネルの裏面の隅部を拡大した斜視図。
【図５】この発明の住宅の通気工法の施工方法を示す要部の断面図。
【図６】壁の施工を示す斜視図。
【図７】間仕切り壁の位置の施工を示す斜視図。
【図８】この発明の住宅の通気工法の適用例で、夏モードを示す説明図。
【図９】同じく冬モードを示す説明図。
【符号の説明】
１０  床パネル
１５  通気用スリット溝
１７  小孔
２０ａ  外回り基礎
２２  床下換気口
２５  土台
２９  柱
３０  断熱材
３２  外壁
３３  内壁
４６  屋根
５０  吹き抜け
５２  トップ排気口
５３  通孔
【図１】
0003972131.tif 000002
【図２】
0003972131.tif 000003
【図３】
0003972131.tif 000004
【図４】
0003972131.tif 000005
【図５】
0003972131.tif 000006
【図６】
0003972131.tif 000007
【図７】
0003972131.tif 000008
【図８】
0003972131.tif 000009
【図９】
0003972131.tif 000010